(57)【要約】      （修正有）【課題】壁仕上材と床仕上部材との間に形成される隙間内取付け部分において構造単純になして作業をし易く、かつ隙間対策を必要としない後付幅木取付け構造を提供する。【解決手段】後付幅木取付け構造では、壁仕上材の下端面と床仕上材の上面との間の隙間を覆う後付幅木を該隙間に挿入する。後付幅木は、断面Ｌ字状をなす単一部材のみからなり、差込部と幅木部とから構成される。差込部は、床仕上材に並行にして隙間に差し込まれて、床仕上材の上面に幅木部の下端面と共に全面接触し、上端面が隙間内において壁仕上材の下端面に所定の間隙を置いて直接相対峙する。幅木部が、打ち込み部材あるいは接着剤で壁下地材あるいは壁仕上材に固着される。【選択図】図１
0003156199.tif 000002
【実用新案登録請求の範囲】
【請求項１】
壁が壁下地材とその前面に貼った壁仕上材で構成され、該壁仕上材の下端面と床仕上材の上面との間の隙間を覆う後付幅木を該隙間に挿入する後付幅木取付け構造において、
前記後付幅木は、前記隙間内で、断面Ｌ字状をなす単一部材のみからなり、前記断面Ｌ字状の背低部が前記隙間に差し込まれるように形成された差込部と、背高部が該差込部と一体の板材で形成され、前記壁仕上材の下端部の前面を覆うように形成された幅木部と、から構成され、前記差込部は、厚さが前記壁仕上地材の厚さと同等とされ、上端面が前記壁仕上材の下端面に所定の間隙を置いて直接相対峙して平坦面とされ、前面がいかなる他の部材に覆われることがなく平坦面とされ、下端面が前記幅木部の下端面と同一面で平坦面とされて、前記所定の間隙によって既設の前記床仕上材に並行にして前記隙間に差し込み可能にされ、差し込まれた時に前記床仕上材の上面に前記幅木部の下端面と共に全面接触する構造とされ、かつ前記幅木部が、打ち込み部材あるいは接着剤で前記壁下地材あるいは壁仕上材に固着されること
を特徴とする後付幅木取付け構造。
【考案の詳細な説明】
【技術分野】
【０００１】
本考案は、壁仕上材の下端部を覆うように取り付けられる後付け幅木の取付け構造に関する。
【背景技術】
【０００２】
幅木は、壁が床に接する基部に設けられる横板であって、壁仕上材の下端面と床仕上材の上面との間に形成された隙間を覆い隠しつつ壁仕上材の下端部に沿って固定され、壁仕上材の下端部の損傷を防止するものである。
【０００３】
従来の幅木を取り付ける一般的な方法として、幅木をビスあるいは釘等の打ち込み部材や接着剤を介して壁仕上材に固着する方法が採用されてきた。壁仕上材に幅木を直接固定する場合、床部材の経年変化によって生じる収縮が原因で、幅木と床部材との間に隙間が生じ易いため、この隙間を生じさせない工夫がなされてきた。
【０００４】
特許文献１には、壁仕上材の下端面と床仕上材の上面との間の隙間を覆って取り付けられる幅木に幅木固定金物を取り付けることによって、上述の隙間を防止する手法が記載されている。
【０００５】
特許文献２には、幅木固定金具を板バネ保止片として、この板バネ保止片で幅木を固定する幅木固定構造が記載されている。
【０００６】
特許文献３には、腰壁パネルと幅木との間に、腰壁パネルの下端部を挿入可能な挿入部を有する受け部材を設けた幅木受け構造が記載されている。
【先行技術文献】
【特許文献】
【０００７】
【特許文献１】特開２００２−１６７９５５号公報
【特許文献２】特開２００２−４７７９２号公報
【特許文献３】特開２００３−５６１７２号公報
【考案の概要】
【考案が解決しようとする課題】
【０００８】
特許文献１あるいは特許文献２に記載された従来技術にあっては壁仕上材と床仕上材との間に隙間を設けることによって、壁仕上材を施工後に、床仕上材を施工することが可能となって壁仕上材施工時に床仕上材に損傷を与えない施工方法となっている。
【０００９】
しかしながら、この従来技術ならびに特許文献３に示される従来技術によると幅木を固定するに当って隙間に配設するようにして固定金具あるいは受け部材を設け、隙間差込み部で着脱されているので、隙間内における構造が複雑となり、隙間差込み部自体にも特殊な加工あるいは精度を要するものとなっており、安価にしずらい構造であり、取付け、固着し易い構造というものではなかった。
【００１０】
本考案は、かかる点に鑑みて壁仕上材と床仕上部材との間に形成される隙間に取付けられる幅木は、この隙間内取付け部分において一部材構成構造の採用によって構造単純になして作業をし易く、かつ隙間対策を必要としない後付け幅木取付け構造を提供することを目的とする。
【課題を解決するための手段】
【００１１】
本考案は、壁が壁下地材とその前面に貼った壁仕上材で構成され、該壁仕上材の下端面と床仕上材の上面との間の隙間を覆う後付幅木を該隙間に挿入する後付幅木取付け構造において、
前記後付幅木は、前記隙間内で、断面Ｌ字状をなす単一部材のみからなり、前記断面Ｌ字状の背低部が前記隙間に差し込まれるように形成された差込部と、背高部が該差込部と一体の板材で形成され、前記壁仕上材の下端部の前面を覆うように形成された幅木部と、から構成され、前記差込部は、厚さが前記壁仕上地材の厚さと同等とされ、上端面が前記壁仕上材の下端面に所定の間隙を置いて直接相対峙して平坦面とされ、前面がいかなる他の部材に覆われることがなく平坦面とされ、下端面が前記幅木部の下端面と同一面で平坦面とされて、前記所定の間隙によって既設の前記床仕上材に並行にして前記隙間に差し込み可能にされ、差し込まれた時に前記床仕上材の上面に前記幅木部の下端面と共に全面接触する構造とされ、かつ前記幅木部が、打ち込み部材あるいは接着剤で前記壁下地材あるいは壁仕上材に固着されること
を特徴とする後付幅木取付け構造を提供する。
【考案の効果】
【００１２】
本考案になる後付け幅木取り付け構造は、後付け幅木が、壁仕上材と床仕上部材との間に形成された隙間内で、断面Ｌ字状をなす単一部材のみから構成され、差込部と幅木部とが上述のような形状に構成され、固着方法、手段については幅木部が打ち込み部材あるいは接着剤で固着するようにしているので、壁仕上材を施工後に床仕上材を施工することが可能になるばかりでなく、隙間部で一部材構成によって取付け構造が単純化され、固着方法、手段については、従来方法を採用可能にして安価にして、隙間および隙間設置によって作業がし易く、経年変化に伴う隙間対策を不要として後付け幅木取付け構造が提供される。
【図面の簡単な説明】
【００１３】
【図１】本考案の実施例の後付幅木取付け構造を示す一部断面を含む図。
【図２】後付幅木の詳細構造図。
【図３】他の例の後付幅木の詳細構造図。
【図４】本実施例による施工手順を示す図。
【図５】従来の施工手順を示す比較例図。
【図６】本実施例による後付幅木の取付け方法（イ）（ロ）を示す図。
【図７】本実施例による後付幅木の取付け方法（ハ）を示す図。
【考案を実施するための形態】
【００１４】
以下、本考案の実施例を図面に基づいて説明する。
【実施例】
【００１５】
図１は、本考案の実施例である後付け幅木取付け構造の詳細を示し、図２は後付け幅木の詳細構成を示す。
図１において、住宅の壁１と床２とは、壁１を構成するために設けられる柱１３が根本となる床下地材４上に立設支持されて構成される。
【００１６】
柱１３には壁下地材５、更にはその前面に壁仕上材６が設けられ、床下地材４の上側には床仕上材７が設けられる。
【００１７】
本実施例の場合、壁下地材および壁仕上材６と床仕上材７との間には隙間１１が形成され、この隙間１１の裏側、すなわち柱側から隙間１１を塞ぐようにして立板１２が柱間に設けられている。
【００１８】
このような構造において、断面Ｌ字状（図面では逆Ｌ字状）をなす単一の板部材からなる幅木２１が隙間１１に挿入され、隙間１１を前面側（図で右側）から塞いでいる。
【００１９】
図２は、幅木２１の詳細を示す。図２の拡大図で示すように、幅木２１は、断面Ｌ字状をなす単一部材のみからなり、断面Ｌ字状の背低部である差込部２２と背高部が差込部２２と一体の板材で形成された幅木部２３と、から構成される。
【００２０】
差込部２２と幅木部２３との間には直角の段差があり、差込部２２の上端面２４は平坦面とされ、前面２５が平坦面とされ、下端面２６は幅木部２３の下端面２７と同一面で平坦面とされる。下端面２６と下端面２７との差込部２２の厚さは壁仕上地材と同等の厚さとされる。双方を一緒に幅木２１の下端面という場合がある。
【００２１】
幅木部２３は上端面２８が平坦面とされ、前面２９が平坦面とされ、裏面３０が平坦面とされ、下端面２７が平坦面とされる。
【００２２】
このように、幅木部２３に用いられる面はいずれも平坦面とされ、極めてシンプル形状としてある。従って、幅木２１は、断面Ｌ字状をなす単一部材から構成され、外面が平坦面から形成されたシンプル形状とされる。
【００２３】
差込部の立設方向の高さＬは隙間１１の高さＬ０に比してＬ＜Ｌ０の関係で設定してある。
【００２４】
このようにして形成された幅木２１が隙間１１に挿入、すなわち幅木２１の差込部２２が隙間１１に差し込まれ、前面２５が立板１２に接触させられる。この時、幅木部２３の裏面３０も壁仕上材６に接触するに至る。
【００２５】
このような状態において、図１に示す構造が形成されることになる。
図１において、壁仕上材６と差込部２２の上端面との間には実質（Ｌ０−Ｌ）からなる間隙３１が形成される。幅木２１の下幅面は床仕上材７の上面に全面接触する。そして、幅木部２３が打ち込み部材あるいは接着剤によって壁下地材５あるいは壁仕上材６に固着される。打ち込み部材を用いる場合にはその打ち込み位置を中心として窪みを幅木部２３の前面に設けてもよい。
【００２６】
このように、幅木取付け構造１００は、幅木２１が、断面Ｌ字状をなす単一部材からなり、断面Ｌ字状の背低部である差込部２２と、背高部が差込部２２と一体の板材で形成された幅木部２３から構成される。差込部２２が、厚さが壁仕上地材の厚さと同等とされ、上端面が平坦面とされ、前面が平坦面とされ、下端面が幅木部２３の下端面と同一面で平坦面とされる。
【００２７】
幅木部２３が、差込部２２と一体構造とされ、各面が平坦面とされ、裏面が壁仕上部材６の下端部の前面を覆い、前面が化粧面とされ、打ち込み部材もしくは接着剤で壁下地材あるいは壁仕上材に固着される。
差込部２２が隙間１１に差し込まれた時に、幅木２１の下端面には床上材の上面に前面接触し、上端面２４は、壁仕上材６の下端面３２に所定の間隙３１を置いて直接相対峙する。
【００２８】
図３は、幅木２１の他の側を示す。この側では、前面２９に溝４０が形成してあり、化粧としてデザイン性を向上させると共に、この溝４０を利用して打ち込み部材３３（図７）の打ち込み場所としている。機能については図２に示す側と同一である。以下、図３の側を用いて説明する。
【００２９】
図４は、本実施例による幅木取付け構造を形成する時の施工手順を示し、図５は本実施例との比較ための従来の施工手順を示す。
【００３０】
図４において、図４Ａは壁→天井→床→幅木取付けの手順を示し、図４Ｂは、天井→壁→床→幅木取付けの手順を示す。いずれの場合にあっても床形成が最後の施工とされ、本形成を最後にすることを可能にして、幅木取付け構造をシンプルにするために本実施例が採用される。
【００３１】
図４Ａにおいて、壁１が壁下地材５、壁仕上材６に施工される（１）。次いで天井３が天井仕上材（図示せず）によって施工される（２）。次いで、床仕上材７によって床２が施工される（３）。この時に、壁仕上材６と床仕上材７との間には前述したように隙間１１が形成される。
【００３２】
この隙間１１に幅木２１が挿入される。このように、幅木２１は床施工後に隙間１１に挿入されるので、以後、後付幅木２１と称する。
【００３３】
このように天井３および壁１がそれぞれ天井仕上材および壁仕上材によって施工され、天井および壁が施工された後に床が床仕上材によって施工される。
【００３４】
床施工後に、差込部２２がその前面がいかなる他の部材に覆われることなく、所定の間隙の形成、存在によって既設の床仕上材７に平行して隙間１１に差し込まれて、隙間内で単一部材として介在する。そして、この場合に、上端面２４が隙間１１内において壁下地材５および壁仕上材６の下端面３２に所定の間隙３１を置いて直接対峙する。直接対峙するのは単一部材の差止部２２が他の部材を介することなく面対向するということであり、差止部２２および壁下地材５、壁仕上材６、あるいは他の部材の経年変化による間隙内変動はこの間隙３１によって吸収されることになる。従って、後付幅木２１の初期設置ならびに後日の修復時の設置を極めて容易に行うことができることになる。
【００３５】
そして、床仕上材７の上面に後付幅木２１の下端は全面接触し、介在する。次いで、幅木部２３が従来の手法に従って打ち込み部材あるいは接着剤で壁下地材５あるいは壁仕上材６が固着され、後付幅木２１の隙間１１への挿入が完了される。
【００３６】
図４Ｂは天井→壁→床→幅木取付けの手順を示し、後付幅木２１の取付け方法は図４Ａについて説明したと同様である。
【００３７】
図６、図７は、後付幅木２１の隙間１１への取り付け方法を示す。
図６に示すように、後付幅木２１は、所定の間隙３１の存在によって床仕上材７に平行して隙間に差し込まれ、隙間１１内で単一部材として介在する（（イ）ステップ）。床仕上材７の上面に後付幅木２１の下端面２６、２７は全面接触し、上端面２４が隙間内において壁下地材５、壁仕上材６の下端面３２に所定の間隙３１を置いて直接対峙する（（ロ）ステップ）。次いで、図７に示すように幅木部２３が、打ち込み部材３３あるいは接着剤で壁仕上地材５あるいは壁仕上材６に固着される（（ハ）ステップ）。
【００３８】
図５は、比較例を示す。
従来、図５Ａに示すように床→壁→天井に従って施工され、あるいは図５Ｂに示すように床→天井→壁に従って施工され、あるいは図５Ｃに示すように天井→床→壁に従って施工され、施工の最後手俊で床が施工されるものではなく、また床が最後に施工される場合には、幅木の端面に他の部材を取り付けて固着するものであって、図５Ａ、Ｂ、Ｃに示すように簡単に幅木２１を設置されず、まして図４に示すように隙間１１にシンプルな形で後は幅木２１を介在させることは出来なかった。
【００３９】
本実施例によれば、壁が壁下地材とその前面に貼った壁仕上材で構成され、該壁仕上材の下端面と床仕上材の上面との間の隙間を覆う後付幅木を該隙間に挿入する後付幅木取付け構造およびその構成方法において、
前記後付幅木が、断面Ｌ字状をなす単一部材のみからなり、前記断面Ｌ字状の背低部である差込部と、背高部が該差込部と一体の板材で形成された幅木部と、から構成され、前記差込部が、厚さが前記壁仕上地材の厚さと同等とされ、上端面が平坦面とされ、前面が平坦面とされ、下端面が前記幅木部の下端面と同一面で平坦面とされ、天井および壁がそれぞれ天井仕上材および壁仕上材によって施行され、天井および壁が施行された後に床が床仕上材によって施行され、床施行後に、前記差込部が、その前面がいかなる他の部材に覆われることなく、前記所定の間隙によって既設の前記床仕上材に並行にして前記隙間に差し込まれて、前記隙間内で単一部材として介在し、前記床仕上材の上面に前記幅木部の下端面と共に全面接触し、上端面が隙間内において前記壁仕上材の下端面に所定の間隙を置いて直接相対峙し、次いで前記幅木部が、打ち込み部材あるいは接着剤で前記壁下地材あるいは壁仕上材に固着されること
を特徴とする後付幅木取付け構造およびその構成方法が提供される。
【００４０】
そして、本実施例によれば、後付幅木２１は一部材で構成され、一部材構成構造による構造単純で、固着方法を採用して安価にして、かつ隙間挿入方法の採用、双方部材の相対峙を可能にする間隙設置によって作業がし易く、経年変化に容易に対処することのできる後付幅木取付け構造が提供される。
【符号の説明】
【００４１】
１…壁、２…床、３…天井、４…床下地材、５…壁下地材、６…壁仕上材、７…床仕上材（フローリング）、１１…隙間、１２…立板、１３…柱、２１…幅木（後付幅木）、２２…差込部、２３…幅木部、２４…上端面、２５…前面、２６、２７…下幅面、２８…上端面、２９…前面、３０…表面、３１…間隙、３２…下幅面、３３…打ち込み部材、１００…後付幅木取付け構造（幅木取付け構造）。
【図１】
0003156199.tif 000003
【図２】
0003156199.tif 000004
【図３】
0003156199.tif 000005
【図４】
0003156199.tif 000006
【図５】
0003156199.tif 000007
【図６】
0003156199.tif 000008
【図７】
0003156199.tif 000009